(57)【要約】【課題】グロメットの脚部を挿入するパネル側の取付孔が小さくなる場合にも、取付孔に対する軸力を高く付与し易くする。【解決手段】本体１０及び該本体に突出された脚部１５並びに本体から脚部に貫通された挿入穴１６を有したグロメット１と、頭部２０及び該頭部に突出された軸部２５とを有したピン２とからなり、挿入穴１６に対し軸部２５を途中まで挿入したピンとグロメットの仮組付け状態からピンの更なる押入により脚部１５が拡開状態に切り換えられるクリップ３である。要部は、脚部１５に設けられて挿入穴１６に通じている凹部１８と、軸部２５に設けられて凹部１８の開口下端に当接して脚部を外方へ拡開可能にする突部（２７，２８）とを有している構成にある。【選択図】図４
2020106074.tif 000002
【特許請求の範囲】
【請求項１】
本体及び該本体に突出された脚部並びに前記本体から前記脚部に貫通された挿入穴を有したグロメットと、頭部及び該頭部に突出された軸部とを有したピンとからなり、前記挿入穴に対し前記軸部を途中まで挿入したピンとグロメットの仮組付け状態から前記ピンの更なる押入により前記脚部が拡開状態に切り換えられるクリップであって、
前記脚部に設けられて前記挿入穴に通じている凹部と、前記軸部に設けられて前記凹部の開口下端に当接して前記脚部を外方へ拡開可能にする突部とを有していることを特徴とするクリップ。
【請求項２】
前記突部の下端又は前記凹部の開口下端側の一方に案内用の斜面を形成していることを特徴とする請求項１に記載のクリップ。
【請求項３】
前記突部の下端及び前記凹部の開口下端側に案内用の斜面をそれぞれ形成していることを特徴とする請求項１に記載のクリップ。
【請求項４】
前記突部を上下の位置をずらした態様で形成していることを特徴とする請求項１から３の何れかに記載のクリップ。
【請求項５】
前記脚部は前記挿入穴の下穴を挟んで対向した少なくとも一対の脚片からなり、前記各脚片に前記凹部を形成していることを特徴とする請求項４に記載のクリップ。
【請求項６】
前記凹部は前記各脚片の厚み方向に貫通した貫通孔からなることを特徴とする請求項５に記載のクリップ。
【請求項７】
前記凹部は前記各脚片の側面部の一部を切り欠いた段差からなることを特徴とする請求項５に記載のクリップ。
【請求項８】
前記凹部は前記各脚片の両側面部の一部を切り欠いた段差からなることを特徴とする請求項５に記載のクリップ。
【請求項９】
前記本体内に設けられて前記挿入穴を区画している両内側面に開口している係止穴と、前記頭部の両側に設けられた弾性爪部との係合により、前記脚部の拡開状態で前記グロメットに対する前記ピンの不用意な引き抜きを規制する規制手段を有していることを特徴とする請求項１から８の何れかに記載のクリップ。
【発明の詳細な説明】
【技術分野】
【０００１】
本発明は、ピンとグロメットからなるクリップに関し、特にパネル等の取付孔が小さい場合であっても高い軸力（この軸力は、取付孔に対する係合力ないしは引込力と称されることもある。以下同じ）が得られるようにしたクリップに関する。
【背景技術】
【０００２】
図１０は特許文献１のクリップを示している。このクリップは、本体（鍔）２及び本体２に突出された脚部（胴部）１並びに本体２から脚部１に貫通された挿入穴を有したグロメット（雌部材）と、頭部１１及び頭部に突出された軸部１２とを有したピン（雄部材）とからなり、ピンが脚部１の挿入穴に対し軸部１２を途中まで挿入した同（ａ）の仮組付け状態から更なる押込みにより脚部１を拡開状態に切り換える。詳述すると、グロメットは、脚部１がスリット３で区画された複数の切割り片４にて構成され、各切割り片４の下端内向に突出された爪５と、本体の窪み６の内底面に設けられた段差付きの複数の鋸歯形カム７とを有している。ピンは、頭部１１の下面に設けられて鋸歯形カム７に摺接する突起１４と、軸部１２の下端側外周に間隔を保って設けられて爪５を受入れる凹部１５と、各凹部１５の上側にあって突起１４が鋸歯形カム７の下面に摺接しているときに各爪５が乗り上げて切割り片４を拡開した状態に維持する係止隆起１６と、凹部１５の周側を区画している仕切壁１８とを有している。
【０００３】
以上のクリップは、ピン側の仕切壁１８と、グロメット側のスリット３の向きを合わせて、軸部１２を脚部１の挿入穴に押し込むと、仕切壁１８がスリット３に入り、かつ各爪５が軸部側の凹部１５に入ることにより両部材が同（ａ）の仮組付け状態になる。この状態で、本体２がパネルＰ1の上面に当接するまで脚部１を各パネルの取付孔に挿入した後、軸部１２が脚部の挿入穴に更に押し込まれると、各切割り片の爪５が軸部側の係止隆起１６を乗り越えて外方に拡開し、同図（ｂ）のごとく本体２の下面との間に各パネルを重合状態に固定可能となる。
【先行技術文献】
【特許文献】
【０００４】
【特許文献１】実公平６−４５０４８号公報
【発明の概要】
【発明が解決しようとする課題】
【０００５】
上記文献１のクリップでは、パネル等の取付孔の孔径又は孔幅が小さくなると、脚部である切割り片の拡開寸法を大きくし高い軸力を付与し難くなる。これは、脚部ないしは切割り片の拡開寸法が専ら切割り片の下端内向に突出された爪の大きさに制約されるためである。そこで、本発明の目的は、パネル等の取付孔の孔径又は孔幅が小さい場合であっても、脚部の拡開を多少なりとも大きくしてより高い軸力が得られるようにすることにある。他の目的は以下の内容説明のなかで明らかにする。
【課題を解決するための手段】
【０００６】
上記目的を達成するため請求項１の発明は、図面を参照して特定すると、本体（１０）及び該本体に突出された脚部（１５）並びに前記本体から前記脚部に貫通された挿入穴（１６）を有したグロメット（１）と、頭部（２０）及び該頭部に突出された軸部（２５）とを有したピン（２）とからなり、前記挿入穴（１６）に対し前記軸部を途中まで挿入したピンとグロメットの仮組付け状態から前記ピンの更なる押入により前記脚部が拡開状態に切り換えられるクリップ（３）であって、前記脚部（１５）に設けられて前記挿入穴に通じている凹部（１８又は１８０）と、前記軸部（２５）に設けられて前記凹部（１８又は１８０）の開口下端に当接して前記脚部を外方へ拡開可能にする突部（２７，２８又は２７０）とを有していることを特徴としている。
【０００７】
ここで、対象のクリップは、例えば、第１パネルに単一又は複数の第２パネルを取り付けたり、部材同士を重ね合わせた状態で結合したり、パネル等の被取付部材に装着する場合に好適なものであり、また、形態例のごとくグロメット又はピン側にフック等の機能部を有した態様も含まれる。工夫点は、特に、パネル等の脚部を挿入する取付孔の孔径又は孔幅が小さくなる場合にも、グロメット側脚部の拡開状態において取付孔に対する高い軸力を得られるようにしたものである。
【０００８】
すなわち、従来のクリップにおいて、グロメット側脚部とピン側軸部とは図１０（特許文献１のクリップ）に例示されるごとく脚部に脚部拡開用の脚内側に突出した爪（先端側を内側に絞り込んだ形状）を設けておき、その爪が軸部に当たることで脚部を拡開方向へ変形可能にする。他の構成としては前記爪に代えて脚部の先端内側の肉厚を大きくした構成もある（例えば、特開平７−１１００２１号公報）。
【０００９】
これに対し、本発明のクリップは、図３及び図４に例示されるごとく軸部に拡開用の突部を形成することで脚部の拡開度合いを大きく設定容易となり、それによってパネル等の取付孔に対する軸力を高くできる。この場合、軸部の突部は、脚部に設けられて挿入穴に通じている凹部の開口下端に当接し、その状態で脚部を拡開状態に維持可能となる。この拡開状態では、取付孔に対し脚部が最大まで拡開されると共にピンの移動が規制されることになる。加えて、このような構成では、脚部拡開用の突部をピンに設定するため、ピン側の成形型に比べ複雑になるグロメット用成形型を多少なりとも簡易化できる利点もある。
【００１０】
以上の本発明は、請求項２〜８で特定したように具体化されることがより好ましい。
（ア）図４に示されるごとく前記突部の下端又は前記凹部の開口下端側の一方に案内用の斜面を形成している構成である（請求項２）。この斜面は、下に行くほど挿入穴の中心ないしは脚部の軸芯に近づく形状である。
（イ）前記突起の下端及び前記凹部の開口下端側に案内用の斜面をそれぞれ形成している構成である（請求項３）。
【００１１】
（ウ）前記突部を上下の位置をずらした態様で形成している構成である（請求項４）。
（エ）前記脚部は前記挿入穴の下穴を挟んで対向した少なくとも一対の脚片からなり、前記各脚片に前記凹部を形成している構成である（請求項５）。
【００１２】
（オ）前記凹部は図１に例示されるごとく前記各脚片の厚み方向に貫通した貫通孔からなる構成である（請求項６）。
（カ）前記凹部は図９に例示されるごとく前記各脚片の側面部の一部を切り欠いた段差からなる構成である（請求項７）。同様に、前記凹部は前記各脚片の両側面部の一部を切り欠いた段差からなる構成である（請求項８）。
（キ）前記本体に設けられて前記挿入穴に露出している係止穴と、前記頭部に設けられた弾性爪部との係合により、前記脚部の拡開状態で前記グロメットに対する前記ピンの不用意な引き抜きを規制する規制手段４を有している構成である（請求項９）。
【発明の効果】
【００１３】
請求項１の発明では、グロメット側の脚部に設けられて挿入穴に通じている凹部と、ピン側の軸部に設けられて凹部の開口下端に当接して脚部を外方向へ拡開可能にする突部とを有しているため、パネル等の取付孔が小さい場合であっても、形態例のごとく突部を凹部の一部で逃がしながら（この点は取付孔の孔径又は孔幅に対する脚部の大きさを維持しつつ、突部を相対的に大きく形成可能となる）、最終的に凹部の開口下端に当接して脚部を拡開し、より高い軸力を付与できる。また、このような構成では、脚部拡開用の突部をピンの軸部に設けるため、相対的に複雑となるグロメットの成形型を多少なりとも単純化できるという利点もある。
【００１４】
請求項２の発明では、図４に示されるごとく突部の下端又は凹部の開口下端側の少なくとも一方に設けられた案内用の斜面により、軸部の挿入穴への押込みがスムースとなり、その結果、脚部の拡開操作を良好に行うことができる。
【００１５】
請求項３の発明では、突起の下端及び凹部の開口下端側の両方に案内用の斜面を有しているため、軸部の挿入穴への押入がよりスムースとなり、脚部の拡開操作を一層良好に行うことができる。
【００１６】
請求項４の発明では、突部を上下の位置をずらして形成しているため、軸部の挿入穴への押入力が分散され、それにより脚部を拡開状態に切り換える際の軸部の押圧力を低減でき、作業性も改善できる。
【００１７】
請求項５の発明では、脚部が挿入穴の下穴を挟んで対向した少なくとも一対の脚片からなり、各脚片に凹部を形成しているため、凹部及び突部の位置が簡明となり成形精度を向上し、それによって突部が凹部の開口下端に確実に当接可能となる。
【００１８】
請求項６の発明では、凹部が各脚片の厚み方向に貫通した貫通孔であるため、成形容易となりグロメット側の成形型を簡略化したり凹部の精度を向上できる。
【００１９】
請求項７の発明では、凹部が各脚片の側面部の一部を切り欠いた段差であるため、請求項６に比べグロメット側の成形型を一層簡略化できる。また、請求項８の発明では、凹部が各脚片の両側面部の一部を切り欠いた段差であるため、請求項５に比べより確実な拡開とグロメット側の成形型を更に一層簡略化したり凹部の精度をより向上できる。
【００２０】
請求項９の発明では、規制手段がグロメット側の本体内の係止穴と、ピン側の頭部の弾性爪部との係合により、グロメットに対するピンの不用意な引き抜きを規制する。この規制手段では、軸部側突部が本体側凹部の開口下端に当接して脚部を外方向へ拡開したときに、ピン側の弾性爪部が本体側係止穴に係合するが、その係合時に弾性爪部のクリック感が得られると共に、係止穴と爪部の係合が本体内であるため係合状態を確実に維持可能となる。
【図面の簡単な説明】
【００２１】
【図１】形態例のクリップ構成部材であるグロメットとピンを示す概略斜視図である。
【図２】上記ピンをグロメットに仮組付けした状態で示し、（ａ）は正面図、（ｂ）は右側面図である。
【図３】上記ピンに対しグロメットを断面にした状態で示し、（ａ）は仮組み付けした状態での構成図、（ｂ）は脚部の拡開状態での構成図である。
【図４】（ａ）は図３（ａ）の符号７で示す箇所の拡大図、（ｂ）は図３（ｂ）の符号８で示す箇所の拡大図である。
【図５】上記グロメット単品を示し、（ａ）は上面図、（ｂ）は正面図、（ｃ）は下面図である。
【図６】（ａ）はグロメットの右側面図、（ｂ）は図５（ｂ）のＡ−Ａ線断面図、（ｃ）は図５（ｂ）のＢ−Ｂ線断面図である。
【図７】（ａ）はピンの上面図、（ｂ）はその正面図、（ｃ）はその背面図である。
【図８】（ａ）はピンの右側面図、（ｂ）は図７（ｂ）のＣ−Ｃ線断面図、（ｃ）は図７（ｂ）のＤ−Ｄ線断面図である。
【図９】上記脚部側の凹部及び軸部側の突部を変更した変形例を示す要部模式構成図である。
【図１０】特許文献１の構造を示し、（ａ）及び（ｂ）は文献１の図２と図３である。
【発明を実施するための形態】
【００２２】
以下、本発明の形態例を図面を参照して説明する。この説明では、クリップの構造を詳述した後、主な作動を明らかにする。なお、クリップの大きさは任意であるが、図面上は理解し易くするため拡大して示している。
【００２３】
（構造）形態例のクリップ３は、本体１０及び本体１０に突出された脚部１５並びに本体１０から脚部１５に貫通された挿入穴１６を有した樹脂製のグロメット１と、頭部２０及び頭部２０の下面に突出された軸部２５とを有した樹脂製のピン２とからなり、挿入穴１６に対し軸部２５を途中まで挿入したピン２とグロメット１の仮組付け状態から、ピン２の更なる押入により脚部１５が拡開状態に切り換えられる点で従来と同じ。
【００２４】
主な要部は、脚部１５の挿入穴１６に通じている凹部である貫通孔１８と、軸部２５に設けられて貫通孔１８の開口下端１８ｂ（図４のごとく貫通孔１８の内側にある開口下端１８ｂ）に当接して脚部１５を外方向へ拡開可能にする突部２７，２８とを有している点、突部２７，２８の下端又は／及び貫通孔１８の開口下端１８ｂ側に案内用の斜面２７ａ，２８ａ又は／及び１８ａを形成している点、軸部２５が略板状をなし、該板状の前後面に突起２７，２８を上下の位置をずらした態様で形成している点、脚部１５が挿入穴１６を挟んで対向した一対の脚片１７，１７からなる点、軸部２５に設けられた仮組付け用爪２９及びその上側の爪２９ａを有している点と、グロメット１に対るピン２の不用意な引き抜きを規制する規制手段４を有している点とにある。以下、これらの構成を明らかにする。
【００２５】
まず、図１〜図６において、グロメットの本体１０は、台座１１と両側壁１２，１２及び引っ掛け用フック１３とからなり、中央部に前後貫通した略矩形の開口１４を有している。台座１１は、内側が矩形の窪み部になっており、該窪み部の底壁１１ａから脚部１５に向けて挿入穴１６を貫通形成している。該窪み部は、内側に張り出した対向内側面１１ｂと、各内側面１１ｂの後面側の角部に設けられた係止穴１１ｃと、前後内面に対向して設けられた縦方向の案内溝１１ｄとを有している。
【００２６】
底壁１１ａの下面には、中央部に突出された脚部１５と、脚部１５を挟んだ左右に突出された差込片１９，１９と、各差込片１９の外側に比較的深く窪んだ凹所１１ｅ，１１ｅとが設けられている。フック１３は、図３（ｂ）から推察されるごとく同図のクリップ３を天地逆転した状態で袋や紐等の部材９を引っ掛ける箇所である。このフック１３では、図６（ｂ）のごとく後面が上記窪み部の真上部分と連通する段差１３ａに形成されている。段差１３は、後述するピンの軸部２５を挿入穴１６へ真っ直ぐに差込可能にする。
【００２７】
脚部１５は、挿通穴１６の下穴１６ａを挟んで対向した一対の脚片１７からなる。各脚片１７には、厚み方向に同軸線上に貫通した上下に長い矩形の貫通孔１８が設けられている。各貫通孔１８は対応する案内溝１１ｄから延びた状態となっている。また、各脚片１７のうち、各貫通孔１８を区画している内側の開口下端側が下に行くに従って次第に中央よりないしは挿通穴１６の軸芯側に傾いた斜面１８ａに形成されている。なお、前記下穴１６ａは脚片１７同士の間の空間ないしは間隔である。
【００２８】
各差込片１９は、脚部１５を挟んで対向しており、パネルないしは被取付部材の矩形の取付孔に対し脚片１７と共に挿入されることで、クリップ３を安定した固定状態に保つ。但し、差込片１９は省略してもクリップ３が取付孔に回動不能に固定される。各凹所１１ｅには、図５（ｃ）のごとく脚部１５よりでかつ後面側の角部を小穴１１ｆにより前記窪み部に貫通している。この小穴１１ｆは、前記係止穴１１ｃを作る際の型抜き用の穴である。
【００２９】
これに対し、ピン２は、図３（ｂ）のごとくグロメット１を貫通する長さとなっている。頭部２０は、段差１３ａ及び開口１４にほぼ収まる略湾曲状の上部２１と、上記窪み部に収まる下部２２からなる。上部２１には、前面に位置し上側に突出して段差１３ａに当接する小さな凸部２１ａと、下部２２との境界部分を欠肉させた横溝２１ｂとが設けられている。符号２１ｃは上部２１の両側面に設けられた欠肉用の空洞である。なお、横溝２１ｂ及び空洞２１ｃは省略可能である。
【００３０】
下部２２は、上部２１に比べて上下寸法が上記台座１１に対応して前面に比べ後面を長く形成しており、図７及び図８のごとく前面側の左右中間に設けられたガイド突起２６と、後面の両側に設けられた弾性爪部２４とを有している。
【００３１】
ガイド突起２６は、案内溝１１ｄに摺動自在に嵌合する箇所であり、軸部２５の上側まで延び、傾斜部２６ａを介在して後述する突部２７に接続されている。各弾性爪部２４は、図８（ａ）のごとく対応側面の後側に設けられた窪み２３ａと、図７（ｃ）のごとく後面に位置し対応側面の手前に設けられて窪み２３ａに連通した窪み２３ｂとにより区画された弾性片であり、該弾性片の上下略中間に側方に向けて突出された爪を有している。この弾性爪部２４は上記係止穴１１ｃとで規制手段４を構成している。
【００３２】
軸部２５は、上記脚片１７同士の間の下穴１６ａに差し込まれる板厚に形成されていると共に、下側２５ａが少し薄く形成されている。また、軸部２５は、前後面に設けられた脚片拡開用の突部２７，２８と、前面の下両側に設けられてグロメット１に対するピン２の仮組み付け用爪２９及びその上側の爪２９ａとを有している。
【００３３】
突部２７と２８は、高さ寸法がほぼ等しい点と、下端部が下に行くほど次第に低くなる斜面２７ａ，２８ａとなっている点で同じである。但し、両者は、突部２７が軸部下端の少し手前まで延びているのに対し突部２８が軸部下端まで延びている。また、突部２７は、上部分が幅細に形成されて上記傾斜部２６ａに接続されている。符号２７ｂはその幅細部である。突部２８は軸部２５の上下略中間から下端まで延びている。爪２９と爪２９ａは階段状に設けられている。
【００３４】
（作動）以下、以上のクリップ３の主な作動を図２〜図４を参照し明らかにする。なお、図２〜図４において、この例では、符号６が自動車の室内側のインナーパネルであり、符号５がサンシェードである。また、このクリップ３は、サンシェード用フックとして設計されている。但し、このクリップ３は、フック１３及びそれと関連する部分を省いて、取付用クリップとして構成できるものである。
【００３５】
（ア）クリップ３は、グロメット１とピン２が分離されていると扱い難いことから、通常は図３及び図４の各（ａ）のごとくピン２をグロメット１に仮組み付け状態ないしは仮止め状態で取り扱われたり組立工程に投入される。この操作では、図２のごとくピン２がグロメット１の挿入穴１６に対し各案内溝１１ｄに対応する突部２７，２８を嵌合した状態で下向きに押圧される。すると、ピン２は、軸部の下両側の爪２９が挿入穴１６の穴内面を圧接しながら底壁１１ａの下面側へ通過し、以後は爪２９が底壁１１ａに引っ掛かるため簡単には引き抜かれない。換言すると、この構成では、ピン２が仮組み付け状態でグロメットの挿入穴１６から引き抜き方向の加重を受けると、各爪９が底壁１１ａの下面に当たって抜け止めされる。なお、爪９ａは、爪９との間に底壁１１ａを上下から挟み、それによりピン２の仮組み付け状態を確実に保たれるよう機能する。
【００３６】
（イ）図３（ｂ）は以上のグロメット１に対するピン２の仮組み付け状態から、ピン２が更に同（ａ）の矢印方向へ押圧されて脚部１５ないしは各脚片１７が突部２７，２８により拡開状態に切り換えられた状態を示している。この場合、ピン２は、まず、突部２７，２８が対応する脚片１７の貫通孔１８に収まった後、ピン２が更に押圧されると、相対的に下側にある突起２８の斜面２８ａが対応する右側脚片１７の貫通孔１８の開口下端１８ｂに当接し、該脚片１７を少しづつ拡開し、その後、突起２８が貫通孔１８の開口下端１８ｂに当接することで該脚片１７が拡開状態となる。また、開口下端１８ｂに対し斜面２８ａから突部２８の直線部に乗り上げると同時、ないしは乗り上げる少し手前で、突起２７の斜面２７ａが対応する左側脚片１７の貫通孔１８の開口下端１８ｂに当接し、該脚片１７を少しづつ拡開し、その後、突起２７が貫通孔１８の開口下端１８ｂに当接することで該脚片１７が拡開状態となる。
【００３７】
（ウ）また、ピン２が図４（ａ）の状態から同（ｂ）の拡開状態に切り換えられると同時に、上記規制手段４を構成している頭部両側の弾性爪部２４が上記した台座１１の内側の窪み部から対応する係止穴１１ｃに係合する。この係合により、作業者は係合時のクリック感により、拡開完了を認識できると共に、ピン２はグロメット１に対し結合されて不用意に抜けなくなる。
【００３８】
換言すると、図３及び図４の各（ｂ）は、ピン２がグロメット１に対し係合した拡開状態ないしは本止め状態である。この例では、クリップ３が車室内側のインナーパネルである第１パネル５にサンシェード等である第２パネル６を各パネルに設けられた取付孔５ａ，５ｂに挿通された状態で装着される。つまり、クリップ３は、各取付孔５ａ，５ｂに挿通した対のグロメット側の脚片１５がピン軸部側の突部２７，２８で拡開されることで、各パネル５，６をグロメット側台座１１と脚片１５，１５の拡開部との間に挟時した状態で装着される。この装着力ないしは挟時力は、軸部側突起２７，２８が脚片１５，１５に設けられた貫通孔１８の開口下端１８ｂに圧接し、その各脚片１５に対する拡開力ないしは圧接力に比例する。また、この装着状態は、その脚片１５の拡開力ないしは圧接力と、規制手段４である弾性爪部２４と係止穴１１ｃの係合力とにより維持される。弾性爪部４と係止穴１１ｃの係合では、ピン側の弾性爪部２４がグロメットの台座１１内の窪み部内から横穴である係止穴１１ｃに係合されるため外力の影響を受けず、弾性爪部２４が係止穴１１ｃに弾性係合された後は係合解除され難くなる。
【００３９】
（エ）以上のクリップ３では、軸部２５に拡開用の突部２７，２８を形成することで脚部１５ないしは対の脚片１７の拡開度合いを大きく設定容易となり、それによってパネル等の取付孔５ａ，６ａに対する高い軸力を得ることも可能となる。すなわち、軸部の突部２７，２８は、脚部１５ないしは対の脚片１７に設けられて挿入穴１６の下穴１６ａに通じている貫通孔（凹部）１８の開口下端１８ｂに当接し、その状態で脚部１５ないしは対の脚片１７を拡開状態に維持可能となる。この拡開状態では、取付孔５ａ，６ａに対し脚部１５ないしは対の脚片１７が最大まで拡開されると共にピン２の移動が規制される。この構造では、パネル等の取付孔５ａ，６ａが小さい場合であっても、突部２７，２８を貫通孔（凹部）１８の一部で逃がしながら、換言すると、取付孔５ａ，６ａの孔径又は孔幅に対する脚部１５ないしは対の脚片１７が大きさを維持しつつ、突部２７，２８を相対的に大きく形成可能となり、最終的に貫通孔（凹部）１８の開口下端１８ｂに当接して脚部１５ないしは対の脚片１７を拡開し、より高い軸力を付与できる。また、このような構成では、脚部拡開用の突部２７，２８をピンの軸部２５に設けるため、相対的に複雑となるグロメット１の成形型を多少なりとも単純化でき、コスト低減も図りやすいという利点もある。
【００４０】
（変形例）図９は以上のクリップを変形した一例を示している。この変形例では、上記したグロメット側脚部１５の貫通孔ないしは凹部と、ピン側軸部２５の突部の形成箇所などを変更している。この説明では、重複記載を極力避けるため上記形態と同じ部位ないしは作用的に同じ部位に同一符号を付し、変更点を明らかにする。
【００４１】
図９において、グロメット１の脚部１５は、上記形態と同じく挿通穴１６の下穴１６ａを挟んで対向した一対の脚片１７からなる。各脚片１７には、両側面部の一部を略Ｌ形に切り欠いた段差１８０が設けられている。この段差１８０には、段差の水平部が上記形態の開口下端１８ｂに相当する開口下端１８０ｂとなっている。
【００４２】
一方、ピン２の軸部２５は、上記形態と同じく脚片１７同士の間の下穴１６ａに差し込まれる板厚に形成されていると共に、下側２５ａが少し薄く形成されている。そして、軸部２５には、前後面にあって、両側に沿って脚片拡開用の突部２７０，２８０（図面上は突部２７０だけ図示され、突部２８０が見えないため省略されている）と、下両側面に設けられてグロメット１に対するピン２の仮組み付け用爪２９０及びその上側の爪２９０ａとを有している。
【００４３】
なお、突起２７０と２８０は、形態例の突部２７，２８と同じく高さ寸法がほぼ等しい点と、下端部が下に行くほど次第に低くなる斜面２７０ａ，２８０ａとなっている。両者は、突部２７０が軸部下端の少し手前まで延びているのに対し、不図示の突部２８０が軸部下端まで延びている。また、爪２９０と２９０ａは形態例の爪２９，２９ａに対応している。但し、形態例の爪２９は底壁１１ａの挿通穴１６を区画している下面のうち前後の下面部分に抜け止めされるのに対し、爪２９０は底壁１１ａの挿通穴１６を区画している下面のうち左右の下面部分に抜け止めされる。
【００４４】
そして、変形例のクリップは、同図のグロメット１に対するピン２の仮組み付け状態から、ピン２が更に下向きに押圧操作されると、各脚片１７が突部２７０，２８０により拡開状態に切り換えられる。この作動は形態例と同様である。すなわち、ピン２は、まず、突部２７０，２８０が対応する脚片１７の段差１８０，１８０に収まった後、ピン２が更に押圧されると、相対的に下側にある不図示の突起２８０の斜面が対応する段差１８０の開口下端１８０ｂに当接し、該脚片１７を少しづつ拡開し、その後、不図示の突起２８０が段差１８０の開口下端１８０ｂに当接することで該脚片１７が拡開状態となる。
【００４５】
なお、以上のクリップは、各請求項で特定される構成を備えておればよく、細部はこの形態例や変形例を参考にして更に変更したり展開可能なものである。その一例として、脚部１５の脚片１７に設けた貫通孔１８に代えて、脚片の内面に挿通穴１６ａに通じている凹部を設ける構成でもよい。この場合は、軸部２５の突起２７，２８がその凹部の開口下縁に当接して脚部を外方向へ拡開可能にする。また、脚部１５の脚片１７は、一対ではなく二対の脚片又は３つの脚片でもよい。全体の形状は、グロメット側本体１０の両側壁１２及びフック１３を省き、かつピン側頭部２０の両側壁１２及びフック１３と嵌合する部分を省略する構成、つまり単純な取付用クリップに簡略化してもよい。更に、パネルや被取付部材の取付孔に対する差込片１９を省略したり、取付孔を略矩形から楕円や円形に変更しても差し支えない。
【符号の説明】
【００４６】
１・・・・・・グロメット
２・・・・・・ピン
３・・・・・・クリップ
４・・・・・・規制手段（１１ｃは係止穴、２４は弾性爪部）
５・・・・・・第１パネル（５ａは取付孔）
６・・・・・・第２パネル（６ａは取付孔）
１０・・・・・本体
１１・・・・・台座（１１ａは窪み部の底壁、１１ｄは案内溝）
１２・・・・・側壁
１３・・・・・フック
１５・・・・・脚部（１７は脚片）
１６・・・・・挿通穴（１６ａは脚片同士の隙間を形成している下穴）
１８・・・・・貫通孔（凹部に相当し、１８ａは斜面）
１８ｂ・・・・貫通孔の開口下端
１９・・・・・差込片
２０・・・・・頭部
２５・・・・・軸部
２７・・・・・突部（２７ａは斜面）
２８・・・・・突部（２８ａは斜面）
２９・・・・・爪
２９ａ・・・・爪
１８０・・・・段差（凹部）
１８０ｂ・・・段差の開口下端
２７０・・・・突部（２７０ａは斜面）
【図１】
2020106074.tif 000003
【図２】
2020106074.tif 000004
【図３】
2020106074.tif 000005
【図４】
2020106074.tif 000006
【図５】
2020106074.tif 000007
【図６】
2020106074.tif 000008
【図７】
2020106074.tif 000009
【図８】
2020106074.tif 000010
【図９】
2020106074.tif 000011
【図１０】
2020106074.tif 000012